(57)【要約】【課題】上蓋と下蓋とを一体に取り外すことができると共に、容器本体内が減圧状態となっても確実且つ容易に解除することができ、衛生的で保温性能が高い蓋付き容器を提供すること。【解決手段】開口部を有する容器本体２と、容器本体２と螺合する下蓋４と、下蓋４に嵌合する上蓋５とからなる容器において、下蓋４が、中央部に設けられる内外を連通する空気孔13と、下部に設けられる容器本体２の内面に当接する弾性パッキン14とを備え、上蓋５が、空気孔13に対向する位置に弾性閉塞部38を有する空気孔閉塞パッキン23を備え、下蓋４の内壁または上蓋５の外壁の一方には突状の係合部たる係合突起16が設けられ、他方には係合突起16を収容して上蓋５の開状態を保持する開状態収納部34及び閉状態を保持する閉状態収納部31を有する係合溝22が設けられることで、上蓋５と下蓋４を一体化したまま、開栓することができる。【選択図】図４
2014091568.tif 000002
【特許請求の範囲】
【請求項１】
開口部を有する容器本体と、前記容器本体と螺合する下蓋と、前記下蓋に装着される上蓋とからなる蓋付き容器において、
前記下蓋が、中央部に設けられる内外を連通する空気孔と、下部に設けられる前記容器本体の内面に当接する弾性パッキンとを備え、前記上蓋が、前記空気孔に対向する位置に弾性閉塞部を有する空気孔閉塞パッキンを備え、前記下蓋の内壁または前記上蓋の外壁の一方には突状の係合部が設けられ、他方には前記係合部を収容して前記上蓋の開状態を保持する開状態収納部及び閉状態を保持する閉状態収納部を有する溝部が設けられることを特徴とする蓋付き容器。
【請求項２】
前記溝部の前記開状態収納部に前記係合部が位置するときは、前記弾性閉塞部により前記空気孔が閉塞されず、前記溝部の前記閉状態収納部に前記係合部が位置するときは、前記弾性閉塞部により前記空気孔が閉塞されることを特徴とする請求項１記載の蓋付き容器。
【請求項３】
前記溝部が、前記開状態収納部と前記閉状態収納部に連通する挿入部を有することを特徴とする請求項１又は２記載の蓋付き容器。
【請求項４】
連通する前記開状態収納部と前記閉状態収納部との間に、突起部が設けられることを特徴とする請求項１〜３のいずれか１項に記載の蓋付き容器。
【請求項５】
前記上蓋又は前記下蓋が、前記弾性閉塞部より高さがある弾性離間隙間保持部を有することを特徴とする請求項１〜４のいずれか１項に記載の蓋付き容器。
【請求項６】
前記溝部と前記係合部を複数設けたことを特徴とする請求項１〜５のいずれか１項に記載の蓋付き容器。
【請求項７】
前記容器本体が断熱容器であり、前記上蓋が断熱材を有することを特徴とする請求項１〜６のいずれか１項に記載の蓋付き容器。
【発明の詳細な説明】
【技術分野】
【０００１】
本発明は、蓋付き容器に関するものである。
【背景技術】
【０００２】
従来、この種のものとして上部開口を形成した保温容器本体と、保温容器本体の上部開口を閉塞するために着脱自在に設けられる内蓋と、内蓋の上方を覆い保温容器の外周面に螺合して取付られる外蓋とを備え、内蓋には、内外を連通する空気路が設けられ、この空気路を上蓋の空気孔閉塞パッキンで封止する構成により、保温容器内の内部が減圧状態であっても空気孔より外気を導入できるため、内部を常圧状態に戻すことができるとしたものが知られている（例えば特許文献１）。
【０００３】
しかしながら、上記特許文献１では、開栓時に外蓋を取り外した後、内蓋を外さなくてはならず、二段作業が必要となり煩雑であった。
【０００４】
そこで、外蓋に内蓋に押圧して嵌合させる嵌合手段を設けることで、容器本体の開口部に別体の内蓋と外蓋とを一体として、一度に取り出せるようにしたもの等が知られている（例えば特許文献２や特許文献３）。
【先行技術文献】
【特許文献】
【０００５】
【特許文献１】特開２００９−２０１８５７号公報
【特許文献２】特開２０１１−２３０８０７号公報
【特許文献３】特開２０１１−０９８７６１号公報
【発明の概要】
【発明が解決しようとする課題】
【０００６】
しかしながら、特許文献２のような例では、内蓋と外蓋を一度に取り外すことができたが、内蓋を外蓋が弾性部材でのみ係留しているため、嵌合調整が難しく、想定外に容器本体が減圧状態になった場合には、一体で外れ難くなり、内蓋を外蓋から取り外す際には、内容物と接した内蓋下面に手が触れてしまうため汚れてしまうという問題があった。
【０００７】
また、特許文献３のような例では、底壁が設けられた栓部材と、天井壁が設けられた栓キャップ部材とを着脱自在に締結することで栓体を成し、栓体内部に内部空間が形成されて、内部空間を通じて外気を導入することで容器内の負圧を解消する構成であることから、外蓋に断熱材を入れることができずに、保温性能が低下してしまうという問題があった。
【０００８】
そこで、本発明が解決しようとする課題は、上蓋と下蓋とを一体に取り外すことができると共に、容器本体内が減圧状態となっても確実且つ容易に解除することができ、衛生的で保温性能が高い蓋付き容器を提供することである。
【課題を解決するための手段】
【０００９】
請求項１の発明の蓋付き容器は、開口部を有する容器本体と、前記容器本体と螺合する下蓋と、前記下蓋に装着される上蓋とからなる蓋付き容器において、前記下蓋が、中央部に設けられる内外を連通する空気孔と、下部に設けられる前記容器本体の内面に当接する弾性パッキンとを備え、前記上蓋が、前記空気孔に対向する位置に弾性閉塞部を有する空気孔閉塞パッキンを備え、前記下蓋の内壁または前記上蓋の外壁の一方には突状の係合部が設けられ、他方には前記係合部を収容して前記上蓋の開状態を保持する開状態収納部及び閉状態を保持する閉状態収納部を有する溝部が設けられることを特徴とする。
【００１０】
請求項２の発明の蓋付き容器は、請求項１において、前記溝部の前記開状態収納部に前記係合部が位置するときは、前記弾性閉塞部により前記空気孔が閉塞されず、前記溝部の前記閉状態収納部に前記係合部が位置するときは、前記弾性閉塞部により前記空気孔が閉塞されることを特徴とする。
【００１１】
請求項３の発明の蓋付き容器は、請求項１又は２において、前記溝部が、前記開状態収納部と閉状態収納部に連通する挿入部を有することを特徴とする。
【００１２】
請求項４の発明の蓋付き容器は、請求項１〜３において、連通する前記開状態収納部と前記閉状態収納部との間に、突起部が設けられることを特徴とする。
【００１３】
請求項５の発明の蓋付き容器は、請求項１〜４において、前記上蓋又は前記下蓋が、前記弾性閉塞部より高さがある弾性離間隙間保持部を有することを特徴とする。
【００１４】
請求項６の発明の蓋付き容器は、請求項１〜５において、前記溝部と前記係合部を複数設けたことを特徴とする。
【００１５】
請求項７の発明の蓋付き容器は、請求項１〜６において、前記容器本体が断熱容器であり、前記上蓋が断熱材を有することを特徴とする。
【発明の効果】
【００１６】
請求項１の発明によれば、上蓋と下蓋を一体化したまま、開栓することができる。
【００１７】
請求項２の発明によれば、上蓋と下蓋を一体化したまま、減圧解除することができる。
【００１８】
請求項３の発明によれば、一体化している上蓋と下蓋を分解することができ、各蓋体の細部まで洗うことができる。
【００１９】
請求項４の発明によれば、開状態収納部と閉状態収納部間を係合部が移動した際にクリック感を得ることができ、係合部の位置が明確になるとともに、容器本体が減圧解除されたか否かを容易に確認することができる。
【００２０】
請求項５によれば、溝部の開状態収納部に係合部が位置する時、上蓋と下蓋の係合位置が保持され、蓋体を安定させることができる。
【００２１】
請求項６によれば、上蓋と下蓋は水平に保持されやすく、分解や組立てを容易に行うことができる。
【００２２】
請求項７によれば、高い保温性能を有することができる。
【図面の簡単な説明】
【００２３】
【図１】本発明の実施例１を示す蓋付き容器の斜視図である。
【図２】本発明の実施例１を示す蓋付き容器の断面図である。
【図３】本発明の実施例１を示す蓋付き容器の上蓋の正面図である。
【図４】本発明の実施例１を示す蓋付き容器の上蓋を取り外した状態の断面図である。
【図５】本発明の実施例１を示す蓋付き容器が閉状態の断面図である。
【図６】本発明の実施例１を示す蓋付き容器が開状態の断面図である。
【図７】本発明の実施例１を示す蓋付き容器の分解方向回動状態の断面図である。
【図８】本発明の実施例２を示す蓋付き容器の斜視図である。
【発明を実施するための形態】
【００２４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２５】
以下、実施例１を図１〜７に基づいて説明する。図１は、本発明における蓋付き容器１を示している。蓋付き容器１は、断熱二重構造の容器本体２と、容器本体２の上部開口３を覆う下蓋４と、下蓋４上に装着される上蓋５とで構成される。
【００２６】
容器本体２は、有底筒状の外筒６と、前記外筒６の内側に収容される内筒７とで構成され、両者の上端が接合されることにより外筒６と内筒７との間に断熱層たる真空層を有した断熱二重容器を形成する。さらに、前記容器本体２は、内筒７の上部内周面に、内側に向かい突出した止水部８を設け、外筒６の上部外周面に、雄螺子９を螺設している。
【００２７】
容器本体２の上部開口３を覆う下蓋４は、有底筒状に形成される第一の胴部10と、第一の胴部10の上端が外側に曲折して下方に向かい折り返されることで形成される第一の外周板部11とを備え、第一の胴部10と第一の外周板部11との間隙Ａには、前記容器本体２が上部側から遊嵌される。第一の胴部10には、底部12の略中心に空気孔13が穿設され、外周面の下部にゴムやエラストマー等からなる弾性パッキン14を取り付ける取付溝15が周設され、内周面の上部に等間隔をあけて三箇所に配置された突状の係合部たる係合突起16が設けられている。また、第一の外周板部11は、内周面に雌螺子17を螺設しており、これを容器本体２の雄螺子９に螺合して締め付けていくことにより、容器本体２に下蓋４を装着することができる。
【００２８】
前記下蓋４上に装着される上蓋５は、下蓋４の上部を全面的に覆う天板部18と、該天板部18に連続して垂下する第二の外周板部19と、天板部18に対して径小であって同心円筒状に形成される第二の胴部20とを備え、天板部18と第二の胴部20との寸法差により形成される第二の胴部20と第二の外周板部19との間隙Ｂには、下蓋４が上部側から遊嵌される。そして、上部が天板部18の下面に接合される第二の胴部20は、内部に断熱材21を備えており高い保温性能を有するほか、外周面には下蓋４の係合突起16に対応して三箇所に配置される溝部たる係合溝22が設けられ、下部中央である空気孔13と対向する位置には前記空気孔13を閉塞する空気孔閉塞パッキン23を着脱自在に保持するパッキン保持部24が設けられる。
【００２９】
係合溝22は、上下方向を短辺、左右方向を長辺とする略横倒Ｌ字状に全体を形成し、係合溝22の一端に下方へ向かい開口する挿入部25を設け、該挿入部25に連続する上下方向の垂直案内路26と、垂直案内路26に連続して斜め上方に向かい傾斜する傾斜案内路27と、傾斜案内路27に連続する水平案内路28と、水平案内路28の上部に連続して斜め下方に向かい傾斜する第一の傾斜案内部29とを一体に設けている。そして、第一の傾斜案内部29には係合溝22の他端となる第一の当接部30を有する閉状態収納部31が連続して設けられ、この閉状態収納部31の下部には突起部32が設けられると共に、一端側に斜め下方へ向かい傾斜する第二の傾斜案内部33が連続して設けられている。また、前記水平案内路28及び前記第一の傾斜案内部29の下方位置には、第二の傾斜案内部33と連続する開状態収納部34が設けられ、開状態収納部34には傾斜案内路27との高低差により形成される第二の当接部35が設けられている。
【００３０】
また、前記空気孔13を閉塞する空気孔閉塞パッキン23は、ゴムやエラストマー等からなる弾性部材より成り、平面が円環状に形成されており、パッキン保持部24に嵌入して保持される嵌合部36と、断面く字状の弾性離間隙間保持部37と、空気孔13に対向して下方に向かい半球状に突設した弾性閉塞部38とを備え、弾性離間隙間保持部37には、内外を連通する通気孔39が穿設されている。
【００３１】
次に上記構成を備える蓋付き容器１の開閉機構について、その作用を説明する。
先ず、蓋付き容器１を組立てる際には、下蓋４の第一の胴部10と第一の外周板部11との間隙Ａに容器本体２を上部側から遊嵌し、下蓋４を容器本体２の雄螺子９に螺合して締め付けていくことにより、容器本体２上に下蓋４が装着され、同時に、容器本体２の内筒７に形成される止水部８に、下蓋４の取付溝15に取り付けた弾性パッキン14が当接された状態となる。そして、下蓋４の上部開口３を覆う上蓋５は、等間隔をあけて三箇所に配置された係合突起16の位置に係合溝22が備える挿入部25の位置を合わせて、それぞれの挿入部25から係合突起16を同時に挿入することで、下蓋４の係合突起16を垂直案内路26、傾斜案内路27の順に案内していく。傾斜案内路27に案内された係合突起16は、上蓋５を下方に押圧しながら係合溝22の他端側である閉方向に向かい回動することにより、係合溝22の上部に沿うようにして水平案内路28、第一の傾斜案内部29の順に案内され、最終的に閉状態収納部31内の第一の当接部30に当接すると、上蓋５と下蓋４とが係合されて蓋付き容器１の組立て状態、すなわち容器本体２、外蓋及び下蓋４が一体となった閉栓状態となる。尚、係合突起16が閉状態収納部31の一端側から他端側へ案内される際には、クリック感を得られる突起部32を乗り越えた後、他端にある第一の当接部30に当接して係合される構成であるため、係合突起16が閉状態収納部31内に収まり、閉状態となったことを確認することができる。また、第一の当接部30に係合突起16が当接すると、上蓋５の閉方向への回動は抑止されて、上蓋５と一体となった下蓋４に回動力が伝わるので、下蓋４が容器本体２に装着されていない時には、上蓋５と下蓋４とが一体になった状態で、容器本体２との螺合を行うことができる。さらに、係合突起16と係合溝22とは、それぞれ周方向に複数設けられていることにより、上蓋５と下蓋４とが水平に保持され易くなり、分解または組立て動作を行い易くすることができる。
【００３２】
ここで、弾性変形前の空気孔閉塞パッキン23は、弾性離間隙間保持部37により弾性閉塞部38と空気孔13とを一定の間隙Ｃを有した状態で保持している。また、弾性離間隙間保持部37の高さＴ１は、挿入部25から傾斜案内路27における内側傾斜案内部40の下部までの高さＴ２、すなわち垂直案内路26の上部までの高さと、ほぼ等しく設けられており（Ｔ１≒Ｔ２）、これらの高さは挿入部25から閉状態収納部31までの高さＴ３よりも低くなっている（Ｔ１≒Ｔ２＜Ｔ３）。前記構成により、係合突起16が係合溝22内に挿入状態で、且つ上蓋５の回動前となる垂直案内路26の上部までは、弾性離間隙間保持部37が弾性変形することなく間隙Ｃを保持した状態であるが、上蓋５の閉方向への回動時には、係合突起16が傾斜案内路27の上部に移動するに従い上蓋５自体が下方に下がっていくので、これに伴い弾性離間隙間保持部37が弾性変形していき、空気孔13を弾性閉塞部38により閉塞した状態となる。また、容器本体２の上部内周面と下蓋４の第一の胴部10との間隙Ｄは、止水部８と弾性パッキン14とが当接することで止水され、下蓋４の空気孔13は、弾性閉塞部38が当接することで閉塞されるので、容器本体２内の内容物による液汁が外部に液漏れすることなく水密状態を確保することができる。しかも、垂直案内路26の高さ以上となる閉状態収納部31に係合突起16が収納されている間は、空気孔閉塞パッキン23が弾性変形されているので、その復元力により上蓋５が常に上方へ向かい付勢された状態となり、係合突起16は閉状態収納部31の下部に当接して保持される。
【００３３】
一方、蓋付き容器１を分解する際には、係合溝22の一端側である開方向に上蓋５を回動する。係合突起16は、上蓋５を開方向に向かい回動すると、空気孔閉塞パッキン23の復元力により上蓋５が常に上方へ向かい付勢された状態であるので、閉状態収納部31から開状態収納部34まで下部に沿って、突起部32、第二の傾斜案内部33、開状態収納部34の順で案内され、開状態収納部34に収まる。この時、開状態収納部34の下部は、挿入部25から傾斜案内路27における内側傾斜案内部40の下部までの高さＴ２よりも僅かに低い高さＴ４（Ｔ４＜Ｔ２）となるので、空気孔13を閉塞していた弾性閉塞部38を有する空気孔閉塞パッキン23が弾性復元力により復元して、弾性閉塞部38が空気孔13から離れ、空気孔13閉塞パッキンの内外を連通する通気孔39により通気がなされるため、容器本体２の減圧状態が解除される。したがって、係合突起16が開状態収納部34に収まるたけで空気孔閉塞パッキン23の弾性閉塞部38が空気孔13から離れて、通気される構成であるので、想定外の減圧状態にあっても容易に減圧を解除することができ、取り外しを容易に行うことができる。しかも、係合突起16が開状態収納部34に位置する時には、弾性離間隙間保持部37の高さＴ１よりも、挿入部25から内側傾斜案内部40の上部までの高さＴ５のほうが高いため（Ｔ１＜Ｔ５）、開状態収納部34では係合突起16が傾斜案内路27に案内されることなく、復元した弾性離間隙間保持部37により上蓋５と下蓋４の係合状態を安定して保持することができる。尚、係合突起16が閉状態収納部31の他端側から一端側へ案内される際には、クリック感を得られる突起部32を乗り越えた後、開状態収納部34に案内される構成であるため、減圧解除の前後を容易に確認することができる。
【００３４】
そして、開状態収納部34に係合突起16が位置する状態から、さらに上蓋５を開方向に回動すると、係合突起16は開状態収納部34の一端側に設けられる第二の当接部35に当接する。上蓋５は、単に開方向へ回動するだけでは、開状態収納部34の下部から内側傾斜部の上部までの高低差により、係合突起16部が傾斜案内路27に案内されることはなく、下蓋４から外れることもない。したがって、係合突起16が第二の当接部35に当接状態のまま開方向へ回動していくと、下蓋４の螺子が緩められていき、上蓋５と下蓋４とが一体の状態で容器本体２から取り外され開栓状態とすることができるので、上蓋５と下蓋４とを別々に外す必要がなく手数を減らすことができ、内容物との接触面に触れることなく取り外しを行うことができる。
【００３５】
開状態収納部34から傾斜案内路27へ係合突起16を案内して下蓋４から上蓋５を取り外すには、図７に示すように、係合突起16が突起部32を乗り越えて閉状態収納部31から開状態収納部34に移動する段階で、下方に向かい上蓋５を押圧しながら開方向に回動する。そうすると、空気孔閉塞パッキン23が弾性変形して上蓋５が下がるので、開状態収納部34内の係合突起16を傾斜案内路27に案内することができる。傾斜案内路27に案内された係合突起16は、上蓋５を開方向に回動していくと傾斜案内路27を下るようにして案内され、この間、空気孔閉塞パッキン23が有する弾性離間隙間保持部37が徐々に弾性復元力により復元していくので、これにより挿入部25までの回動が補助され、下蓋４から上蓋５を容易に取り外すことができる。こうした構成により、下蓋４から上蓋５を取り外すには、左右方向の回動に加えて上下方向の押圧が必要となるので、何らかの原因により上蓋５が開方向に回動されたとしても安易に下蓋４から外れることがなく、液漏れ等を防止することができる。また、下蓋４および上蓋５を分解することで、それぞれ細部まで洗うことができるので衛生的な取り扱いができる。
【００３６】
以上のように、本実施例では、開口部を有する容器本体２と、容器本体２と螺合する下蓋４と、下蓋４に嵌合する上蓋５とからなる容器において、下蓋４が、中央部に設けられる内外を連通する空気孔13と、下部に設けられる容器本体２の内面に当接する弾性パッキン14とを備え、上蓋５が、空気孔13に対向する位置に弾性閉塞部38を有する空気孔閉塞パッキン23を備え、下蓋４の内壁または上蓋５の外壁の一方には突状の係合部たる係合突起16が設けられ、他方には係合突起16を収容して上蓋５の開状態を保持する開状態収納部34及び閉状態を保持する閉状態収納部31を有する係合溝22が設けられることで、上蓋５と下蓋４を一体化したまま、開栓することができる。
【００３７】
また、係合溝22の開状態収納部34に係合突起16が位置するときは、弾性閉塞部38により空気孔13が閉塞されず、係合溝22の閉状態収納部31に係合突起16が位置するときは、弾性閉塞部38により空気孔13が閉塞されることで、上蓋５と下蓋４を一体化したまま、減圧解除することができる。
【００３８】
また、係合溝22が、開状態収納部34と閉状態収納部31に連通する挿入部25を有することで、一体化している上蓋５と下蓋４を分解することができ、各蓋体の細部まで洗うことができる。
【００３９】
また、連通する開状態収納部34と閉状態収納部31との間に、突起部32が設けられることで、開状態収納部34と閉状態収納部31間を係合突起16が移動した際にクリック感を得ることができ、係合突起16の位置が明確になるとともに、容器本体２が減圧解除されたか否かを容易に確認することができる。
【００４０】
また、上蓋５又は下蓋４が、弾性閉塞部38より高さがある弾性離間隙間保持部37を有することで、係合溝22の開状態収納部34に係合突起16が位置する時に、上蓋５と下蓋４の係合位置が保持され、蓋体を安定させることができる。
【００４１】
また、係合溝22と係合突起16を複数設けたことで、上蓋５と下蓋４は水平に保持されやすく、分解や組立てを容易に行うことができる。
【００４２】
さらに、容器本体２が断熱容器であり、上蓋５が断熱材21を有することで、高い保温性能を有することができる。
【実施例２】
【００４３】
以下に他の実施例について説明する。尚、前記実施例１と同一部分には同一符号を付し、その詳細な説明を省略する。
【００４４】
図８は実施例２を示しており、前記実施例１において、下蓋４には内周面の上部に等間隔をあけて三箇所に配置された係合突起16が設けられていたが、これが本実施例では係合溝22に置き換えられ、上蓋５には第二の胴部20の外周面に下蓋４の係合突起16に対応して三箇所に配置される係合溝22が設けられていたが、これが本実施例では係合突起16に置き換えられている。尚、下蓋４の内周面に形成される係合溝22は、前記実施例１の係合溝22と水平線に対して線対象となるように設けられ、一端に設けられる挿入部25が上方に向かい開口して設けられている。
【００４５】
また、上蓋５の天板部18には天面41に取手42を設けており、仮に前記実施例１における第二の外周板部19が上蓋５に設けられていない構成であっても、取手42を設けることで上蓋５の開方向或は閉方向への回動を容易に行うことができる。
【００４６】
したがって、本実施例では、下蓋４に複数の係合突起16が設けられ、上蓋５に前記係合突起16に対応した複数の係合溝22が設けられることにより、両者を一体化したまま開栓或は閉栓することや、一体化したまま減圧解除することができる。また、上蓋５の天面41に取手42が設けられていることにより、開閉作業を容易に行うことができる。
【００４７】
以上のように、このような実施例においても実施例１と同様な作用効果を奏することができる。
【００４８】
尚、本発明は、実施例１及び実施例２に限定されるものではなく、本発明の要旨の範囲内で種々の変形実施が可能である。例えば、上記実施例では、空気孔閉塞パッキンに弾性離間隙間保持部を設けたが、これがなくとも構造は成り立ち、弾性離間隙間保持部を上蓋に設けることや、弾性閉塞部と弾性離間隙間保持部とを一体に設ける必要はない。
【符号の説明】
【００４９】
１  蓋付き容器
２  容器本体
３  上部開口
４  下蓋
５  上蓋
８  止水部
13  空気孔
14  弾性パッキン
16  係合突起（係合部）
22  係合溝（溝部）
23  空気孔閉塞パッキン
25  挿入部
31  閉状態収納部
34  開状態収納部
37  弾性離間隙間保持部
38  弾性閉塞部
39  通気孔
【図１】
2014091568.tif 000003
【図２】
2014091568.tif 000004
【図３】
2014091568.tif 000005
【図４】
2014091568.tif 000006
【図５】
2014091568.tif 000007
【図６】
2014091568.tif 000008
【図７】
2014091568.tif 000009
【図８】
2014091568.tif 000010